(57)【要約】      （修正有）【課題】一人で把持して、暴れる暴漢等を捕獲するための刺股を提供する。【解決手段】把持用直棒体１の一端を、半円状湾曲棒体２が形成され、その開口部を先方として固着したものとし、かつ、半円状湾曲棒体２の両端部には、湾曲したＬ字状で、その曲折部に、回転軸３を設け、可動湾曲状棒体４の２本が、互いに内側に円を描くよう配置させる。把持用直棒体１の長さ方向の中空部に、先方へ露出する押し出し棒体５を有し、その押し出し棒体５の先端には、Ｔ字状に直交した両可動湾曲状棒体４の離反開口する状態を保持するための中央部連結部材６を有している。中央部連結部材６を先端に有する押し出し棒体５が、後退する際には容易に後退するが、通常は前進しないためのラチェット機構７が、把持用直棒体１の一部に、把持用直棒体１から露出する把手８と共に有したことを特徴とする。【選択図】図１
0003191857.tif 000002
【実用新案登録請求の範囲】
【請求項１】
把持用直棒体（１）の一端を、半円状湾曲棒体（２）が形成する平面と同一平面上における該半円状湾曲棒体（２）の中間点にて、該半円状湾曲棒体（２）の開口部を先方として固着したものとし、かつ、該半円状湾曲棒体（２）の両端部には、湾曲したＬ字状で、その曲折部に、回転軸（３）を設け、該回転軸（３）にて回動可能に連着する可動湾曲状棒体（４）の２本が、互いに内側に円を描くよう相対配置させる構成として、該２本の可動湾曲状棒体（４）の後方両端が、該２本の可動湾曲状棒体（４）の先方両端の接近度合を定める機構として、前記把持用直棒体（１）の長さ方向の中空部に、先方へ露出する押し出し棒体（５）を有し、該押し出し棒体（５）の先端には同押し出し棒体（５）にＴ字状に直交した上記両可動湾曲状棒体（４）の離反開口する状態を保持するための中央部連結部材（６）を有し、使用時には、該中央部連結部材（６）の先端部が、被捕獲対象の存在により先方から押圧されることにより、上記中央部連結部材（６）内の上記両可動湾曲状棒体（４）の後方両端が、互いに接近することとなり、該両可動湾曲状棒体（４）の両先端部が近接若しくは互いに閉鎖することによって被捕獲対象を中にした包囲部分を形成されることを特徴とする刺股において、上記中央部連結部材（６）を先端に有する押し出し棒体（５）が、後退する際には容易に後退するが、通常は前進しないためのラチェット機構（７）が、上記把持用直棒体（１）の一部に、該把持用直棒体（１）から露出する把手（８）と共に有したことを特徴とする刺股。
【請求項２】
ラチェット機構（７）として、鋸刃状刃列（９）を把手（８）とは同一平面で、かつ、該把手（８）を上部に、該鋸刃状刃列（９）を下部として、把持用直棒体（１）の長さ方向配置とし、かつ、押し出し棒体（５）の一部には、上記鋸刃状刃列（９）に係合するための自動的に上下方向へ微動する可片を有した請求項１記載の刺股。
【請求項３】
把手（８）とは同一面上で、該把手（８）の前後２ヵ所に、把持用直棒体（１）に定着させるための太い輪ゴム（１０）を係止させるための凹部（１１）を設けた請求項２記載の刺股
【考案の詳細な説明】
【技術分野】
【０００１】  この考案は、暴漢などが侵入して来た際に、その暴漢などの捕獲に用いる刺股の改良に関する。
【背景技術】
【０００２】  従来の「刺股」又は「刺又」と称する侵入者に対する捕獲用具は、Ｖ字或いはＵ字状の湾曲棒体の開口部を前方とし、そのＶ字或いはＵ字状体の底の外側の中央部に、使用者が把持する長柄状直棒体の先端を固着させた至極簡単な構成のものであった。
なお、考案者は過去に同じ目的の刺股を特許出願している。【０００３】  そして、その使用時には、Ｖ字或いはＵ字状体の開口部内に暴漢を捕らえ、かつ、壁又は床等に押し付けて暴漢の動きを止めおき、他人の助けを得て暴漢を取り押さえていた。しかしながら、これら単純な構成のものでは、暴漢が逃げようと暴れると、得てして取り逃がしたりして、反撃を食らう虞が多く、問題が多発していたのが実状であった。
【先行技術文献】
【特許文献】
【０００４】  そこで、Ｕ字状棒体の両先端部分に、互いに内側方向へ回動可能に湾曲状の左右回動アームよりなる「拘束部材」を設けたものとし、これを別の付属機構によって、暴漢等の捕獲使用時に、当該拘束部材である上記の左右回動アームが、内側方向へ回動して、暴漢等の捕獲対象を包囲し、暴漢等が暴れないようにして捕獲できるとした次の先願がある。【０００５】
【特許文献１】特開２０１０−１７５１１３号公報（図１、要約）
【特許文献２】特開２０１３−１３４０５０号公報（５〜７頁、図１、図１４）
【考案の概要】
【考案が解決しようとする課題】
【０００６】  上記の特許文献１は、発明の名称を「刺股型開閉可能な身体拘束具」と称し、特許文献２は、発明の名称を「開閉式刺股」と称し、共に主要部である先端部の左右回動アームが夫々形は異なるが、基本的に似た構成をしているので、ここでは両者を代表して特許文献２について、その内容を説明する。【０００７】  即ち、特許文献２の主要な構成は、両手で握る長柄の先端に取り付けられたＵ字形状の押当部材があり、その押当部材の両先端には、互いに内側に回動可能に取り付けられた湾曲状の左右回動アームを設け、使用時に左右回動アームを閉じて、暴漢等の捕獲対象を閉じ込める構成としている。【０００８】  なお、ここでは上記構成の詳細な記載は省略するが、左右回動アームの開閉の際に使用するラチェット機構が、同回動アームの一部に設置されている。即ち、ラチェット機構を有することによって、左右回動アームが閉じる方向へは移動しても、逆に開く方向へは移動出来ないように構成されているのである。【０００９】  そして、そのためには、大別して市販の回転軸兼用のラチェット機構のものと、通常の回転軸とは別に、歯列と、その歯列に係合する爪とを設けたラチェット機構のものとの２種類があるとしている。
ところで、上記先願においては、湾曲状の左右回動アームの開閉の際に用いられるラチェット機構が、いずれも開閉する左右回動アームの一部であるアームの根本近辺に設けられており、言わばアームに対しては邪魔な場所であった。
【課題を解決するための手段】
【００１０】  この考案の主題は、ラチェット機構の配置場所を、左右回動アーム上の一部ではなく、両手で把持する筒状の「長柄」の中に配設しようとするものである。
このことにより、先願の左右回動アームの一部に有する場合では、ラチェット機構を左右２ヵ所に必要としているが、長柄の中に配置するならば、１ヵ所のみで済むように、新たな利点も生じるようにもなった。【００１１】  次に、この考案の詳細な説明を、図面に基づき説明する。図１は、刺股を使用状態として先方の左右回動アーム４が、互いに左右へ同時に開いた状態とさせたものである。そのためには、筒状の長柄１の長さ方向の一部にあるラチェット機構７より突出するＬ字状の摘み把手８に、指先を引っ掛けて、長さ方向の前後にある太い輪ゴム１０の引締め力に抗して引き上げれば、図示省略した押し出し棒５の適所に有する少なくとも１つの爪が、図４に示したラチェット機構７下方に列設している鋸刃状部９から離脱して、押し出し棒５は、長柄１の長さ方向への移動が自由となるのである。【００１２】  このことから、一方の片手で長柄１を把持していて、他方の片手で押し出し棒５を引き出すなり、左右回動アーム４やラチェット機構７のある先方が重いから、先方を下へ傾ければ自然に押し出し棒５が飛び出して来て、左右回動アーム４が互いに開くことになる。逆に、開いている左右回動アーム４を閉じるのには、ラチェット機構７の先端部を長柄１方向へ押圧すればよいことは言うまでもなく、図２に示す状態となるのである。【００１３】  図３は、中央部連結部材６の要部を示したものであり、押し出し棒体５の最先端に、Ｔ字状に直交して固着している。勿論、その左右に並んだ横窓１２には、可動湾曲状棒体位置決め用ボルト１４を介して、該両可動湾曲状棒体４の下方端部を、両可動湾曲状棒体位置決め用ボルト１４が、互いに接近か離反することにより、両可動湾曲状棒体４の先端部を互いに開いたり、閉じたりさせる機構としているのである。なお、上下に並んでいる小孔１３は、この中央部連結部材６を、押し出し棒体５に固着させるためのリベットやボルト等を通すための孔である。【００１４】  図４は、ラチェット機構７を詳細に示したその側面図である。即ち、上方にＬ字状の把手８があり、下方には鋸刃状刃列９を有している。この鋸刃状刃列９の個々の刃の向きは総て同一方向であり、図４では垂直線と右下がりの斜線とが、皆同一状に並んで居る。【００１５】  即ち、この鋸刃状刃列９に当接する図示省略した上下移動可能な爪が、左から右方向へは、斜線上を滑り移動できるが、右から左方向へは垂直線に突き当たって移動できないことになり、一方向のみ移動可能とする目的を果たすことになるのである。このことは、図１の状態にて、把持用直棒体１を両手で把時して、中央部連結部材６を暴漢等に押し当てれば、自動的に開いている両可動湾曲状棒体４が閉じて、暴漢等を閉じ込めることになるのである。
【考案の効果】
【００１６】  この考案の主要部であるラチェット機構７の配置場所を、両手で把持する把持用直棒体１の中に配設したことにより、ラチェット機構７が手元に有るから操作がし易くなると共に、先願例に比べれば、ラチェット機構７が１ヶ所のみで目的を果たせるようになったという経済上の利点もある。
【図面の簡単な説明】
【００１７】
【図１】この考案の一実施例にて、先端の両可動湾曲状棒体４を、開いた状態で示した平面図である。
【図２】この考案の図１の実施例にて、先端の両可動湾曲状棒体４を、閉じた状態で示した平面図である。
【図３】この考案の図１の実施例の中央部連結部材６のみを示した平面図である。
【図４】この考案のラチェット機構７のみを示した側面図である。
【考案を実施するための形態】
【００１８】  この考案の構成自体が、比較的に簡単であるから、既述したことで十分と思われるが、敢えて考案を実施するための最良の形態をというのであれば、全体として軽量に構成できるように、材質としてはアルミパイプを採用するよう設計するがよい。
【実施例】
【００１９】  図１から全ての図示が実施例である。なお、図示を省略したが、把持用直棒体１が、断面が丸棒でなく、多角棒なり角棒であっても構わないし、また、半円状湾曲棒体２が、例えばコ字状の棒体であっても構わないことは言うまでもない。
勿論、重要部品である可動湾曲状棒体４であっても、全体として湾曲状の棒体ならば、途中に直線部分を有していても構わない。【００２０】  また、中央部連結部材６の全体を、台形として示したが、長方形であっても構わないことは言うまでもなかろう。更に、ラチェット機構７の把持用直棒体１への配置を、図示では把持用直棒体１の上面としたが、把持用直棒体１の左右いずれかの側面に配置しても構わないし、極端に言えば、裏面であっても把手８が手触りで簡単に分かるから構わない。【００２１】  更にまた、簡便のために採用したラチェット機構７を把持用直棒体１に留める手段として太い輪ゴム１０を採用したが、例えばラチェット機構７の長さ方向の一端辺には蝶番を用いて、他端には把持用直棒体１に設けた小受輪に嵌まる小爪を引っ掛けるが如き一般的な係合手段を採用してもよいことは言うまでもない。
【符号の説明】
【００２２】    １  把持用直棒体
２  半円状湾曲棒体
３  回転軸
４  可動湾曲状棒体
５  押し出し棒体
６  中央部連結部材
７  ラチェット機構
８  把手
９  鋸刃状刃列
１０  太い輪ゴム
１１  凹部
１２  横窓
１３  固定孔
１４  可動湾曲状棒体位置決めボルト
【図１】
0003191857.tif 000003
【図２】
0003191857.tif 000004
【図３】
0003191857.tif 000005
【図４】
0003191857.tif 000006